(57)【特許請求の範囲】
【請求項１】
樋を装着可能であって、少なくとも前端部には、樋の前耳を係止する折曲可能な帯状の係止爪片を設けた樋受具本体と、該樋受具本体を軒先等に取付けるための取付具とから成る樋受金具において、
上記係止爪片には、その長手方向に沿ってリブを形成すると共に、このリブの一部を細幅に形成して他の部分よりも曲げ強度の弱い構造にした折曲指定部を間隔をあけて複数形成したことを特徴とする樋受金具。
【発明の詳細な説明】
【０００１】
【発明の属する技術分野】
本発明は樋受金具、詳しくは、樋受具本体の前端部に、樋の前耳を係止する折曲可能な係止爪片を設けた樋受金具に関する。
【０００２】
【従来の技術】
図６は、従来の樋受金具を示す斜視図である。
【０００３】
この樋受金具１００は、樋Ｔを装着する樋受具本体１０１と、該樋受具本体１０１を軒先等に取付けるための取付具１０２とにより基本的な構造を成している。
【０００４】
樋受具本体１０１の前端部には、樋Ｔの前耳Ｔ１を係止する係止爪片１０３を設けており、この係止爪片１０３は、金属薄板を帯状に形成して折曲可能にしている。
【０００５】
また、樋受具本体１０１の後端部には、樋Ｔの後耳Ｔ２を係止する樋・後耳掛止部１３１を形成している。
【０００６】
なお、取付具１０２は、樋受具本体１０１と一体又は別体に形成されていることもあり、その形状や構造は様々であるが、要するに樋受具本体１０１を軒先等の所望位置に固定できれば足りる。
【０００７】
このように形成した樋受金具１００は、先ず、取付具１０２を軒うら等の適所に、釘、ボルト等により固定する。
【０００８】
次に、図６の想像線で示すように、樋受具本体１０１の樋・後耳掛止部１３１に、樋Ｔの後耳Ｔ２を内側から掛止させると共に、樋Ｔを樋受具本体１０１の内側に嵌め込んで、これを支持する。
【０００９】
そして、係止爪片１０３を手指で内側に折り曲げて、樋Ｔの前耳Ｔ１の内面に係止すれば、樋Ｔを装着できる。
【００１０】
【発明が解決しようとする課題】
しかし、この樋受金具１００では、以下の問題がある。
【００１１】
すなわち、樋受具本体１０１に設けた係止爪片１０３は、金属薄板を帯状に形成して折曲可能にした構造である。
【００１２】
そのため、係止爪片１０３を折り曲げる位置は、作業者の手指の感覚による不特定であり、作業者が誤った位置で係止爪片１０３を折り曲げ易く、樋Ｔの前耳Ｔ１に上手く係止できないという問題がある。
【００１３】
また、この係止爪片１０３を折り曲げた後には、その弾性（元の形に復元しようとする作用を意味する。以下、「バックリング」と呼ぶ。）によって、樋Ｔの前耳Ｔ１を係止する力が緩んでしまい、樋Ｔのガタツキが生じ易いという問題もある。
【００１４】
本発明は、かかる課題を解決することを目的とし、係止爪片の折り曲げ位置を特定して樋の前耳を確実に係止でき、また、バックリングを殆ど生じることなく、樋の前耳を強固に係止できる樋受金具を提供する。
【００１５】
【課題を解決するための手段】
上記目的を達成するため、
請求項１に係る樋受金具は、樋を装着可能であって、少なくとも前端部には、樋の前耳を係止する折曲可能な帯状の係止爪片を設けた樋受具本体と、該樋受具本体を軒先等に取付けるための取付具とから成る樋受金具において、上記係止爪片には、その長手方向に沿ってリブを形成すると共に、このリブの一部を細幅に形成して他の部分よりも曲げ強度の弱い構造にした折曲指定部を間隔をあけて複数形成したことを特徴とする。
【００１６】
請求項１では、折曲指定部を形成することで、係止爪片の折り曲げ位置を特定できる。
【００１７】
そのため、係止爪片の折り曲げ位置が安定し、樋の前耳に確実に係止できる。
【００１８】
また、リブを形成することで、係止爪片の強度を高めることができ、これを薄肉に形成して軽量化を図ることもできる。
【００１９】
さらに、リブを形成することで、製造時における係止爪片と、他の係止爪片との間の油などによる密着を緩和して剥がれ易くでき（遊離効果とも呼ぶ）、製造効率を高めることができる。
【００２０】
（欠番）
【００２１】
またさらに、リブの一部を細幅にして折曲指定部を形成しているので、係止爪片を折り曲げたときにリブが座屈し、係止爪片の弾性が解消される。
【００２２】
そのため、係止爪片の折り曲げ位置を特定できると共に、係止爪片を折り曲げた後のバックリングを防止でき、樋の前耳を確実且つ強固に係止できる。
【００２３】
さらに、上記折曲指定部は、間隔をあけて複数形成している。
【００２４】
このように、折曲指定部をリブに複数形成しているため、係止爪片は、何れかの折曲指定部の位置で折り曲げられ、そのため係止爪片の折り曲げ位置を選択できる。
【００２５】
【発明の実施の形態】
以下、本発明に係る樋受金具Ａを図面に基いて説明する。
【００２６】
図１は、本発明に係る樋受金具の参考例を示す斜視図、図２は、図１の縦断面図である。
【００２７】
この樋受金具Ａは、樋Ｔを装着する樋受具本体１と、該樋受具本体１を軒先等に取付けるための取付具２とにより基本的な構造を成している。
【００２８】
樋受具本体１の前端部には、樋Ｔの前耳Ｔ１を係止する係止爪片３を設けており、また、樋受具本体１の後端部には、樋Ｔの後耳Ｔ２を係止する樋・後耳掛止部４を形成している。
【００２９】
なお、本実施例では、係止爪片３を樋受具本体１の前端部にのみ形成しているが、樋受具本体１の後端部に形成した樋・後耳掛止部４に代えて、上記係止爪片３を樋受具本体１の前、後端部に各々形成しても構わない。
【００３０】
この樋受具本体１の形状は、装着する樋Ｔの形状に応じて適宜形成され得るが、少なくとも前端部に上記係止爪片３を設けていればよく、また、取付具２は、樋受具本体１と一体又は別体に形成されていることもあり、その形状や構造は様々であるが、要するに樋受具本体１を軒先等の所望位置に固定できれば足りる。
【００３１】
係止爪片３は、金属薄板を帯状に形成すると共に、その長手方向に長いリブ３１を形成している。
【００３２】
また、このリブ３１は、その一部を薄くして薄肉に形成するなどして、他の部分よりも曲げ強度の弱い構造にした折曲指定部３２を形成している。
【００３３】
本参考例に示した係止爪片３によれば、折曲指定部３２を形成したリブ３１を形成しているので、係止爪片の折り曲げ位置を特定できる。
【００３４】
そのため、係止爪片の折り曲げ位置が安定し、樋の前耳に確実に係止できる。
【００３５】
また、リブ３１を形成することで、係止爪片３の強度を高めることができ、これを薄肉に形成して軽量化を図ることもできる。
【００３６】
さらに、リブ３１を形成することで、製造時における係止爪片３と、他の係止爪片３との間の油などによる密着を緩和して剥がれ易くでき（遊離効果とも呼ぶ）、製造効率を高めることができる。
【００３７】
図３は、本発明に係る樋受金具の他の参考例を示す斜視図、図４は、図３の縦断面図であり、後述する本発明に係る樋受金具の折曲指定部の形状的特徴を説明するための図である。
【００３８】
なお、図１、２と共通する部位には、共通の符号を付し、その説明は省略している。
【００３９】
この樋受金具Ａでは、上記折曲指定部３２は、上記リブ３１に形成している点に特徴がある。
【００４０】
具体的には、折曲指定部３２は、係止爪片３の長手方向に形成したリブ３１の一部を細幅に形成している。
【００４１】
このように、折曲指定部３２をリブ３１に形成すれば、係止爪片３を折曲指定部３２で折り曲げたときには、リブ３１が座屈し、係止爪片３の弾性が解消される。
【００４２】
そのため、係止爪片３の折り曲げ位置を特定できると共に、係止爪片３を折り曲げた後のバックリングを防止でき、樋Ｔの前耳Ｔ１を確実且つ強固に係止できる。
【００４３】
本発明に係る樋受金具は、図３、図４に示した細幅の折曲指定部３２を、リブ３１に間隔をあけて複数形成したことを特徴としたものであり、このような折曲指定部３２をリブ３１に複数形成することで、係止爪片３は、何れかの折曲指定部３２の位置で折り曲げられるため、係止爪片３の折り曲げ位置を選択できる。
【００４４】
図５（ａ）〜（ｄ）は、本発明に係る係止爪片のさらに他の参考例を示す斜視図である。
【００４５】
図５（ａ）で示す係止爪片３は、リブ３１の中央部分に開口部３２ａを形成することで、この開口部３２ａを他の部分よりも曲げ強度の弱い構造にした折曲指定部３２を形成している。
【００４６】
図５（ｂ）で示す係止爪片３は、図１で示したリブ３１の上下に更に横長のリブ部３２ｂ、３２ｂを形成することで、このリブ３１の中央部分を他の部分よりも曲げ強度の弱い構造にした折曲指定部３２を形成している。
【００４７】
図５（ｃ）は、帯状に形成した係止爪片３の上下に、僅かな間隔３２ｃをあけてリブ３１、３１を形成することで、このリブ３１、３１の間を他の部分よりも曲げ強度の弱い構造にした折曲指定部３２を形成している。
【００４８】
図５（ｄ）は、帯状に形成した係止爪片３の上方にのみリブ３１を形成することで、その下側をリブ３１の部分よりも曲げ強度の弱い構造にした折曲指定部３２を形成している。
【００４９】
このように、係止爪片３の形状は種々考えられるが、要するに、係止爪片３の一部を他の部分よりも曲げ強度の弱い構造にした折曲指定部３２を形成するものであれば足りる。
【００５０】
上記のように形成した樋受金具Ａは、先ず、取付具２を軒うら等の適所に、釘、ボルト等により固定する。
【００５１】
次に、図１〜図４の想像線で示すように、樋受具本体１の後端部に形成した樋・後耳掛止部４に、樋Ｔの後耳Ｔ２を内側から掛止させると共に、樋Ｔを樋受具本体１の内側に嵌め込んで、これを支持する。
【００５２】
そして、係止爪片３を手指で内側に折り曲げると、その折り曲げ位置は、係止爪片３の折曲指定部３２で折り曲げられて、樋Ｔの前耳Ｔ１の内面に確実に係止できる。
【００５３】
また、図３の係止爪片３では、これを折り曲げたときにリブ３１が座屈する。
【００５４】
そのため、係止爪片３の弾性が解消され、係止爪片３を折り曲げたときのバックリングを生じることがなく、樋Ｔの前耳Ｔ１を確実且つ強固に係止できる。
【００５５】
【発明の効果】
本発明によれば、次のような効果がある。
請求項１に係る樋受金具によれば、リブの一部を細幅にして折曲指定部を形成することで、係止爪片の折り曲げ位置を特定できる。
【００５６】
そのため、係止爪片の折り曲げ位置が安定し、樋の前耳に確実に係止できる。
【００５７】
また、リブを形成することで、係止爪片の強度を高めることができ、これを薄肉に形成して軽量化を図ることもできる。
【００５８】
さらに、リブを形成することで、製造時における係止爪片と、他の係止爪片との間の油などによる密着を緩和して剥がれ易くでき（遊離効果とも呼ぶ）、製造効率を高めることができる。
【００５９】
また、折曲指定部をリブに形成しているので、係止爪片を折り曲げたときにリブが座屈し、係止爪片の弾性が解消される。
【００６０】
そのため、係止爪片の折り曲げ位置を特定できると共に、係止爪片を折り曲げた後のバックリングを防止でき、樋の前耳を確実且つ強固に係止できる。
【００６１】
請求項２に係る樋受金具によれば、折曲指定部をリブに複数形成すれば、係止爪片は、何れかの折曲指定部の位置で折り曲げられるため、係止爪片の折り曲げ位置を選択できる。
【図面の簡単な説明】
【図１】本発明に係る樋受金具の参考例を示す斜視図
【図２】図１の縦断面図
【図３】本発明に係る樋受金具の他の参考例を示す斜視図（本発明の樋受金具の折曲指定部の説明図）
【図４】図３の縦断面図
【図５】（ａ）〜（ｄ）は、本発明に係る係止爪片のさらに他の参考例を示す斜視図
【図６】従来の樋受金具を示す斜視図
【符号の説明】
Ａ    樋受金具
Ｔ    樋
Ｔ１  前耳
１    樋受具本体
２    取付具
３    係止爪片
３１    リブ
３２    折曲指定部
【図１】
0004616986.tif 000002
【図２】
0004616986.tif 000003
【図３】
0004616986.tif 000004
【図４】
0004616986.tif 000005
【図５】
0004616986.tif 000006
【図６】
0004616986.tif 000007